(57)【要約】【課題】着火機構の誤操作や小児等の悪戯による押し込み操作を防止することが可能となり、意に反した着火操作を阻止することができる誤操作防止機構付きガスライターを提供する。【解決手段】キャップレバー１２の操作側端部上面が下方に向く円滑な傾斜面で形成され、キャップレバー１２の回動操作に伴う傾斜面上の指接点における下方に向く回動角度の増加により回動方向の操作を不能となし、回動操作に加えて傾斜面に着火操作子の回動中心を向く所定以上の押圧力を付加することでキャップレバー１２の回動操作を可能とし弁Ｖの開弁操作を実行せしめるようにした。【選択図】図１
2012021728.tif 000002
【特許請求の範囲】
【請求項１】
ライター本体の上端面に回動自在に装着された着火操作子と、該着火操作子の操作に連動されてバルブを開弁方向に動作させる弁操作レバーと、着火誤操作を阻止する誤操作防止機構を備えてなる誤操作防止機構付きガスライターにおいて、
前記誤操作防止機構は、前記着火操作子の操作側端部上面が下方に向く円滑な傾斜面で形成され、これにより前記着火操作子の単純な押下操作に伴う回動角度の増加により回動方向の操作を不能となし、
前記押下操作に加えて前記傾斜面に前記着火操作子の回動中心を向く所定以上の押圧力を付加することで前記着火操作子の回動操作を可能とし、前記バルブの開弁操作を実行せしめるようにしたことを特徴とする誤操作防止機構付きガスライター。
【請求項２】
前記着火操作子の操作側端部上面は、円弧状に形成され、反操作側端部上面には復帰弾力を備えた押圧操作板の一端が被着されて他端側の水平延出部が前記円弧状上面に対し水平方向に延出保持されてなり、
着火操作時には、前記水平延出部の単純な押下操作により前記押圧操作板が、前記着火操作子の操作側端部上面に倣って円弧状に変位し、これにより押下操作に伴う回動角度の増加により回動方向の操作を不能となし、
前記押下操作に加えて円弧状に変位した前期水平延出部に前記着火操作子の回動中心を向く所定以上の押圧力を付加することで前記着火操作子の回動操作を可能とし、前記バルブの開弁操作を実行せしめるようにしたことを特徴とする請求項１に記載の誤操作防止機構付きガスライター。
【発明の詳細な説明】
【技術分野】
【０００１】
本発明は、誤操作防止付きガスライターの改良に係り、更に詳しくは、着火操作子の誤操作や小児等の悪戯による操作を防止するようにした誤操作防止機構付きガスライター（チャイルドレジスタンスガスライター）に関する。
【背景技術】
【０００２】
従来、斯かる誤操作防止機構を備えたガスライターとしては、先端にガスライター本体の頂部に突出したガス噴出ノズルの先端に係合された着火操作子を開弁方向に押圧操作することにより前記ガス着火操作子に対して回動自在に支持され、或る位置では前記ライター本体の上縁部に当接して前記着火操作子の下降を阻止し、他の位置では前記ライター本体の上縁部との当接が外れて前記着火操作子の下降を許容する嵌入溝内へ嵌合される操作片と、前記着火操作子の下に垂設されて前記操作片を回動自在に挿着せしめる取付軸と、その下に遊嵌されて前記操作片の抜け止めをするスプリングとからなるストッパーを兼備せしめたものが提案されている（例えば、特許文献１参照）。
【先行技術文献】
【特許文献】
【０００３】
【特許文献１】実開昭５４−４４１７６号公報
【発明の概要】
【発明が解決しようとする課題】
【０００４】
しかしながら、上述した従来の誤操作防止機構にあっては、ロック部材であるストッパー（操作片）の遊端部側がライター本体の表面から外方に向けて突出しているため、例え
ば、動作の中で何気なく入れた指先がストッパー（操作片）の突出部に触れるだけで安易に解除方向へ回動してしまい、意に反して着火するという問題を有している。
【０００５】
更に、スプリングやストッパー等がライター本体に付設してあるため、ライター自身のデザインに悪影響を与え易く、また、昨今では、安全で且つ確実にライターの誤着火を阻止できる斬新で趣向性の高いチャイルドプルーフライターが要望されている。
【０００６】
本発明は、上述した事情に鑑みてなされたもので、着火機構の誤操作や小児等の悪戯による押し込み操作を防止することが可能となり、意に反した着火操作を阻止することができる誤操作防止機構付きガスライターを提供することを目的とする。
【課題を解決するための手段】
【０００７】
本発明に係る誤操作防止機構付きガスライターでは、上記課題を解決するために以下の手段を採用した。
本発明に係る誤操作防止機構付きガスライターは、ライター本体の上端面に回動自在に装着された着火操作子と、該着火操作子の操作に連動されてバルブを開弁方向に動作させる弁操作レバーと、着火誤操作を阻止する誤操作防止機構を備えてなる誤操作防止機構付きガスライターにおいて、前記誤操作防止機構は、前記着火操作子の操作側端部上面が下方に向く円滑な傾斜面で形成され、これにより前記着火操作子の単純な押下操作に伴う回動角度の増加により回動方向の操作を不能となし、前記押下操作に加えて前記傾斜面に前記着火操作子の回動中心を向く所定以上の押圧力を付加することで前記着火操作子の回動操作を可能とし、前記バルブの開弁操作を実行せしめるようにしたことを特徴とする。
【０００８】
また、前記着火操作子の操作側端部上面は、円弧状に形成され、反操作側端部上面には復帰弾力を備えた押圧操作板の一端が被着されて他端側の水平延出部が前記円弧状上面に対し水平方向に延出保持されてなり、着火操作時には、前記水平延出部の単純な押下操作により前記押圧操作板が、前記着火操作子の操作側端部上面に倣って円弧状に変位し、これにより押下操作に伴う回動角度の増加により回動方向の操作を不能となし、前記押下操作に加えて円弧状に変位した前期水平延出部に前記着火操作子の回動中心を向く所定以上の押圧力を付加することで前記着火操作子の回動操作を可能とし、前記バルブの開弁操作を実行せしめるようにしたことを特徴とする。
【発明の効果】
【０００９】
本発明によれば、着火操作子の操作側端部上面を下方に向く円滑な傾斜面として形成することで、着火操作時に、前記着火操作子の傾斜面上面からの摩擦力のみによる回動方向に沿った回動操作を不能とし、この回動操作を実行せしめるためには、回動方向に沿った回動操作に加え前記傾斜面に前記着火操作子の回動中心を向く所定以上の押圧力の付加が要求される。
これにより、着火機構の誤操作や小児等の悪戯による意に反した着火操作を阻止することができるといった効果を奏すると共に、現行と同じ既存の一般的なピエゾ式ライターであっても、簡単に取り付けられるため、そのままチャイルドレジスタンスガスライターとしての商品価値を高めることができる。
【００１０】
また、着火操作子の操作側端部上面を回動方向に接する所定の接線角度で円弧状に形成し、着火操作子の反操作側端部上面には、復帰弾力を備えた帯板状の押圧操作板の一端を被着すると共に、他端側を円弧状上面に対し水平方向に延出保持する構成とすることで、着火操作時に、水平延出部の押下操作により前記押圧操作板の他端側が円弧状に変位し、回動操作に伴う前記押圧操作板上の指接点における下方に向く回動角度の増加により回動方向の操作を不能とし、この回動操作を実行せしめるためには、回動方向に作用する接線方向の回動操作に加えて前記押圧操作板上の前記円弧面に前記着火操作子の回動中心を向く所定以上の押圧力の付加が要求される。
これにより、そのまま前記円弧面に回動方向に作用する接線方向の力を加えると指が滑りキャップレバーは着火位置までスライドしないので、同時に斜め横から回動中心を向く相応の力を加える複合動作が必要となり、誤操作や小児等の悪戯による意に反した押し込み操作を防止することができる。更に、前記円弧面に回動方向に沿った接線方向の力の強さは、押圧操作片上面の最大摩擦力によって決まるので材質や表面処理法を選択することで、回動中心を向く力を加減することができる。
【図面の簡単な説明】
【００１１】
【図１】本発明の実施形態に係る誤操作防止付きガスライターの縦断面図である。
【図２】同誤操作防止付きガスライターの着火操作説明図である。
【図３】同誤操作防止付きガスライターの着火操作説明図である。
【発明を実施するための形態】
【００１２】
以下、本発明の実施形態に係る誤操作防止付きガスライターについて図面を参照して説明する。
【００１３】
（誤操作防止付きガスライター）
図１においてＡは、本発明に係る誤操作防止付きガスライター（以下ガスライターと称する）であり、このガスライターＡは、ライター本体１と、ライター本体１の内部に液化ガスを封入せしめるガスタンク２と、該ガスタンク２の開口部を気密に閉鎖する上蓋３を備えている。
【００１４】
ライター本体１は、ＡＳ樹脂等の素材からなり、取付け穴１ａ内には、着火機構の一部を構成する圧電ユニット４５が装着されている。
圧電ユニット４５は、上下方向に伸縮するように相互に嵌め合わされた内箱４５ａと外箱４５ｂとを有し、圧電ユニット４５の中には、図示しない圧電素子、ハンマー、復帰バネ等からなる打撃機構が内蔵されている。
【００１５】
内箱４５ａに装着されたアース４６の下方には端子４６ａが延設しており、この端子４６ａは、逆Ｌ字型に折曲した弁操作レバー３４の外側下方に張り出したガイドカム３４ａに当接して圧電ユニット４５の上下動作と連動するようになっている。
【００１６】
一方、ライター本体１内部を上下に区画形成した前記タンク上蓋３には、上部が開口した円筒収容室４が一体的に形成され、該円筒収容室４の内部にはブッシュ５が挿嵌されて収容保持されている。
【００１７】
前記ブッシュ５には、上端が開口する収容穴５ａが形成されており、該収容穴５ａの内周面には、ハウジング２４外周に螺設された雄ねじに螺合する雌ねじが螺設されると共に前記収容穴５ａの底面には有底の小径段付き穴５ｂが形成されている。
【００１８】
前記小径段付き穴５ｂの底面には、挿着孔５ｃが形成されており、該挿着孔５ｃにはガスタンク２に臨むガス吸引管Ｔが挿着されている。該ガス吸引管Ｔの内部には、気化熱供給体６ａが挿嵌されており、前記小径段付き穴５ｂの底面には、気化熱供給体６ａの上端に形成されたＴ型断面のディスク６ｂとフィルター６ｃを重合してなる遮蔽部材６が収容されている。
前記小径段付き穴５ｂの内部には、小径筒体２９がＯリングＲにシールされた状態で挿嵌されており、該小径筒体２９の下端面はフィルター６ｃの上面に当接している。
【００１９】
前記小径筒体２９は、前記ブッシュ５の収容穴５ａ内に螺合されたハウジング２４により下方に押圧されており、小径段付き穴５ｂ底面に収容された前記遮蔽部材６の上下両面を押圧挟持している。
【００２０】
一方、前記ハウジング２４内部の連通路となる収容穴２４ａには、ガス噴出ノズル２６が圧縮ばねＳＰにより下方に付勢された状態で収容されている。ガス噴出ノズル２６は、噴出孔２６ｂが内部を貫通した細長円筒状をなし、長手方向中央には、径方向に突出したリング状の突出部２６ａが形成されると共に前記リング状突出部２６ａの下方には、前記噴出孔２６ｂに連通する連通口２６ｃが半径方向に形成され、噴出孔２６ｂの下端にはガス噴出ノズル２６の外径と同形となる栓体２８が装着されて弁Ｖを構成している。
【００２１】
前記小径筒体２９の内部には、段付き孔２９ａが形成されると共に該段付き孔２９ａの下方には、下端側が開口した小径ポートを設けた段付き部２９ｂが形成されている。而して、前記段付き部２９ｂは、栓体２８の下面が当接して前記小径ポートを密閉するバルブ（弁）Ｖの弁座として構成されている。
【００２２】
すなわち、弁座となる段付き部２９ｂには、圧縮ばねＳＰの付勢力により栓体２８の下面が当接保持されており、ガスタンク２内から前記ガス吸引管Ｔを介して吸い上げられる燃料ガスを気密に遮断している。
【００２３】
前記ハウジング２４の頂面から挿通突出したガス噴出ノズル２６の先端には噴出孔２６ｂが開口しており、ガス噴出ノズル２６の先端外周には頸部２６ｄが膨出しており、該頸部２６ｄにはバーナーキャップ２７が装着されている。
【００２４】
前記タンク上蓋３に形成される円筒収容室４の開口部片側には掛止片５ｃが突設しており、該掛止片５ｃの上端には、前記弁操作レバー３４の内側折曲部が回動可能に支持されており、該弁操作レバー３４の先端には、ガス噴出ノズル２６の頸部２６ｄに係合する二股状のフォーク部が形成されている。
【００２５】
而して、燃焼筒となるセラミックバーナーパイプ５０は、円筒状のバーナーホルダー５２の内部に嵌合保持されており、前記セラミックバーナーパイプ５０の底面中央には、燃焼ガスを噴出するバーナー筒５４がバーナーワッシャＷを介して挿通支持されて立設している。
【００２６】
前記バーナーホルダー５２内部の小径段付き穴とセラミックバーナーパイプ５０下面に形成される小径空間が混合室５５として構成されている。前記バーナーホルダー５２下面には、導電線５６の放電端子５６ａの先端を挿嵌支持する支持部５２ａが設けられており、導電線５６の外周は絶縁チューブ５８により被覆されている。
【００２７】
一方、前記ハウジング２４は上方の外周面に複数の縦溝が形成されており、該ハウジング２４の上部外周には、前記縦溝に係合可能な突条を内設したアジャスター３２が上下方向移動可能に係合状態で挿嵌されている。
【００２８】
そこで、前記アジャスター３２の操作部３２ａを右または左方向に回転操作すると、前記ブッシュ５の収容穴５ａに螺合しているハウジング２４も同期して左方向に回転する。これにより前記ハウジング２４は、所定量上下に移動するので、ブッシュ５の上端からハウジング頂面までの突出量が変位する。この突出量を調整することでハウジング２４の押し込み量が変化してガス噴出量が増減される。
【００２９】
（誤操作防止機構１０）
次に、本発明の要部であるライターの誤操作防止機構に付き図１を参照して説明する。
図１にはライターの誤操作防止機構１０が示されている。この誤操作防止機構１０は、ライター本体１の上部開口を覆うべく回動支点となる支軸１３により回動自在に支持されて水平な天板から操作側端部上面がほぼ回動起動に沿う円弧状に形成された着火操作子となるキャップレバー１２と、反操作側端部上面に一方の端部が被着されて他方の端部が前記キャップレバー１２の円弧状上面に対し水平方向に延出保持される復帰弾力を備えた帯板状の押圧操作板となるフレキシブルレバー１４とから構成されている。
【００３０】
前記キャップレバー１２は、支軸１３を中心として回動する取付アーム１２ａと、該取付アーム１２ａの側端から前記圧電ユニット４５の上端側に臨むように突出する押込操作片１２ｂとを備えている。
【００３１】
前記フレキシブルレバー１４は、例えばプラスティック、ナイロン、ＰＥ，ＰＯＭ．エラストマ、等の復帰弾力を有する素材で帯板状に構成されており、キャップレバー１２の反操作側端部上面に一方が被着されると共に、他方の自由端がキャップレバー１２の円弧状上面に対し水平方向に延出保持されている。
【００３２】
次に、ライターの誤操作防止機構１０の作用に付き、図２、図３を参照して説明する。
先ず、ガスライターＡを着火操作するに際し、帯板状に形成されたフレキシブルレバー１４は操作側端部上面を親指で押し下げることで下方に変位し、キャップレバー１２の操作側端部上面に倣って円弧状に弾性変位する（図２参照）。
【００３３】
着火操作するためには、キャップレバー１２を回動させる操作が必要になるが、円弧状に変位したフレキシブルレバー１４上面の接点に当てている親指に、回動方向に作用する
接線方向の力と同時に中心（支軸１３）を向く押圧力から成る回動操作力を付与して回動操作が行われる。
これにより、前記キャップレバー１２を時計回りにある程度回動させることで、フレキシブルレバー１４上面における親指の接点が、回動方向に移動するに従って接線角度が下方に向くため子供の力では中心を向く押圧力を与えられなくなる。従って、フレキシブルレバー１４上面の接点には、中心を向く押圧力が作用せずに摩擦力のみが回動方向に作用することとなり、結果的にフレキシブルレバー１４上面の親指が滑るのでキャップレバー１２の回動操作が不能となる。
【００３４】
そこで、前記フレキシブルレバー１４上面における親指の接点には、回動方向に作用する接線方向の力と中心を向く押圧力を同時に付与することで、前記キャップレバー１２に回動操作方向の回動力を付与することが可能となり、前記キャップレバー１２が着火操作方向へ回動するので弁Ｖを開弁方向に動作することができる。
【００３５】
詳しくは、前記フレキシブルレバー１４上面には、回動方向に作用する接線方向の力と中心を向く所定以上の押圧力から成る回動操作力を付与させることで、キャップレバー１２が時計回りに回動して取付アーム１２ａも同方向に回動するので、前記取付アーム１２ａの側面から突出した押込操作片１２ｂによって圧電ユニット４５が押し下げられる。
【００３６】
これにより、アース４６下方の端子４６ａがガイドカム３４ａに当接すると、弁操作レバー３４が掛止片５ｃを支点として時計回りに着火角度θ＝１０°位まで回動すると、ガス噴出ノズル２６は、弁操作レバー３４の二股状フォーク部に係合された状態で引出方向に動作される。
【００３７】
その際、弁Ｖが開弁するので、ガス吸引管Ｔを介して吸い上げられたガスタンク２内の燃料ガスは、小径筒体２９の内径部とガス噴出ノズル２６外径部の隙間を上方に移動し、側面の連通口２６ｃを通して噴出孔２６ｂ内部に流入する。
【００３８】
噴出孔２６ｂの上部に達した燃料ガスは、バーナーキャップ２７に内設されているオリフス板の小径孔を通過することにより流速を増し、バーナーホルダー５２下面の小径挿通孔に噴出される。この燃料ガスは、その際生じる負圧によって空気を吸い込みバーナーホルダー５２下面の小径挿通孔内で混合気体となり、バーナー筒５４上部側面の小径孔と天面の主流孔から噴出される。
【００３９】
噴射されたガスと空気の混合気体は、セラミックバーナーパイプ５０内部へと拡散されることとなり、その混合気体が火花放電により引火してバーナーホルダー内部で燃焼することになる。
【００４０】
しかしながら、子供のように円弧状に変位したフレキシブルレバー１４上面の親指の接点において回動方向に作用する接線方向の力に加え、同時に作用する支軸１３（中心）を向く押圧力が弱い場合は、誤操作防止機構が作用してキャップレバー１２の回動操作が阻止されるので、弁が開弁せず着火を防止することができる。
【００４１】
以上述べたライターの誤操作防止機構１０では、キャップレバー１２上面の反操作側端部上面に復帰弾力を有するフレキシブルレバー１４の一端を被着した例に付いて説明したが、これに限らない。
【００４２】
例えば、フレキシブルレバー１４を被着せずに操作側端部上面を円弧状に形成したキャップレバー１２のみの構成（変形例）とすることもできる。この場合は、円弧状に形成した操作側端部上面に親指を当てて前記キャップレバー１２の回動操作を行っても、子供のように支軸１３側を向く押圧力が弱い場合は、回動操作を同時に付加させることが困難となり、前述と同様に回動操作が阻止されるので着火を防止することができる。
【００４３】
尚、本発明のライターの誤操作防止機構付きガスライターは、本実施形態に限定されるものではなく、本発明の目的の範囲内で自由に設計変更し得るものであり、例えば、キャップレバー１２の操作側端部上面を円弧状に限らず所定角度傾斜した滑らかな直線方向の傾斜面として形成することもできる。
【００４４】
また、本実施形態では、フレキシブルレバー１４を弾性板状に形成しているが、これに限定されることなく、着火使用時にはキャップレバー１２の操作に応じて変位し、かつ、未使用時にはライター本体１の頂部周面を被装する弾性素材製のキャップにしても良い。
【符号の説明】
【００４５】
１…ライター本体、１０…誤操作防止機構、１２…キャップレバー（着火操作子）、１４…フレキシブルレバー（押圧操作板）、３４…弁操作レバー、Ａ…ガスライター、Ｖ…弁（バルブ）
【図１】
2012021728.tif 000003
【図２】
2012021728.tif 000004
【図３】
2012021728.tif 000005